(57)【要約】【課題】折り畳んで容易に持ち運びができる配管カバー及び当該配管カバーを備えた給湯器を提供する。【解決手段】給湯器１は、外壁２に固定された給湯器本体３の底部から延設された各種配管７を覆い隠す略コの字型の配管カバー５を備える。そして、この配管カバー５の右側壁１１及び左側壁１２は、上ヒンジ１５，１６によって折り畳むことができる。これにより、配管カバー５全体の容積が小さくなるので、取付現場までの配管カバー５の持ち運びが容易となる。また、配管カバー５の前面は、固定梁部５０と、該固定梁部５０に着脱可能に固定される前面壁１０とで構成されている。そして、前面壁１０を固定梁部５０から外すことにより、筐体４の底部に接続された各種配管７の前面側を露出させることができる。これにより、筐体４の下部に配管カバー５が取り付けられた状態で、各種配管７の保守点検等が可能となる。【選択図】  図２
2007032940.tif 000002
【特許請求の範囲】
【請求項１】
本体に接続された配管を覆い隠すために、前記本体に着脱可能に取り付けられる略コの字型の配管カバーであって、
前記配管の前面側を覆い隠す正面視長方形状の前面部と、
当該前面部の左右両端部に各々連結され、前記配管の左右両面側をそれぞれ覆い隠す一対の側面部と、
前記前面部の左右両端部と、一対の前記側面部の連結側一端部とを回動可能に連結する回動連結手段と
から構成され、
一対の前記側面部が前記前面部側にそれぞれ折り畳み可能であることを特徴とする配管カバー。
【請求項２】
一対の前記側面部は、
前記前面部の左端部に連結された左側壁と、
前記前面部の右端部に連結された右側壁と
であって、
前記前面部は、
前記左側壁の前記連結側一端部と、前記右側壁の前記連結側一端部との間に渡設された梁部材と、
当該梁部材の前面側に着脱可能に固定される前面壁と
から構成されていることを特徴とする請求項１に記載の配管カバー。
【請求項３】
前記回動連結手段は、
前記梁部材の長手方向両端部と、
前記左側壁の前記連結側一端部及び前記右側壁の前記連結側一端部と
を回動可能に連結する蝶番であることを特徴とする請求項２に記載の配管カバー。
【請求項４】
前記梁部材は、
前記左側壁の前記連結側一端部の上部と、前記右側壁の前記連結側一端部の上部との間に渡設された柱状の上側梁部材と、
前記左側壁の前記連結側一端部の下部と、前記右側壁の前記連結側一端部の下部との間に渡設された下側梁部材と
から構成され、
前記上側梁部材及び下側梁部材には、前記前面壁を固定するための固定穴が穿設されていることを特徴とする請求項２又は３に記載の配管カバー。
【請求項５】
前記左側壁と前記右側壁とを互いに平行に支持する支持部材を備えていることを特徴とする請求項２乃至４の何れかに記載の配管カバー。
【請求項６】
前記支持部材は略コの字型の枠であることを特徴とする請求項５に記載の配管カバー。
【請求項７】
前記支持部材は、自身の開口側を前記前面壁の内側面に対向させた状態で、
前記左側壁の内側面又は外側面と、前記右側壁の内側面又は外側面とに各々当接して固定されることを特徴とする請求項４乃至６の何れかに記載の配管カバー。
【請求項８】
前記左側壁の上部と前記右側壁の上部には、前記本体の下部に着脱可能な取付部が各々設けられ、
当該取付部には取付穴が穿設されていることを特徴とする請求項２乃至７の何れかに記載の配管カバー。
【請求項９】
筐体内にバーナを熱源として備える給湯器本体と、前記筐体に接続された配管とを備えた給湯器であって、
請求項１乃至８の何れかに記載の配管カバーを備えたことを特徴とする給湯器。
【発明の詳細な説明】
【技術分野】
【０００１】
本発明は、配管カバー及び当該配管カバーを備えた給湯器に関し、詳しくは、本体に接続された配管を覆い隠す配管カバー及び当該配管カバーを備えた給湯器に関する。
【背景技術】
【０００２】
従来より、給湯器の取り付け作業は、屋外の外壁に給湯器の本体を直接取り付けることによって行われる。そして、この給湯器本体の底部には、給湯管、給水管及びガス管等の各種配管や配線等が各々接続され、これら各種配管や配線等は外壁の穴部等に挿通されて屋内の蛇口や、水道栓及びガス元栓等に接続されている。しかし、このような給湯器の取り付け状態では、給湯器本体の底部に接続された各種配管は外部に露出された状態となっている。そのため、給湯器本体の下部の見栄えが悪くなり、さらには、外部接触によって各種配管が破損しやすい状態となっていた。そこで、例えば、給湯器本体の下部に略コの字型の配管カバーを取り付け、それら各種配管を覆い隠すことによって、給湯器本体の下部の見栄えを良好に保つ給湯器が知られている。さらに、このような配管カバーの前面に設けられた開閉蓋を着脱可能とすることで、給湯器本体の下部に配管カバーが取り付けられた状態のままでも、各種配管等の保守点検を容易に行うことのできる給湯器を備えた給湯器付き壁パネルも知られている（例えば、特許文献１参照）。
【特許文献１】特開平９−４９２８号公報
【発明の開示】
【発明が解決しようとする課題】
【０００３】
しかしながら、特許文献１に記載の給湯器付き壁パネルに設けられた配管カバーは、天面と背面とが開口する箱型形状であり、容積が大きくかさばるため運搬しづらいという問題点があった。特に超高層ビルのような高い場所で給湯器を取り付ける場合では、取付現場まで運搬しづらいと、配管カバーを高い所から誤って落下させる等の危険性を伴うため、配管カバーの運搬に関する利便性が求められていた。また、配管カバー自体の容積が大きいため、輸送に係るコストや、梱包材料に係るコストが高くなるという問題点もあった。さらに、配管カバーの容積を小さくして運搬を容易にするために、例えば、配管カバーをそれぞれ独立した複数の部材及び部品によって組み立てられるものとして構成した場合、部品がバラバラになってしまい、取付現場（特に、高層マンションのベランダ等）での組み立てが困難であるという問題点があった。
【０００４】
本発明は、上記課題を解決するためになされたものであり、折り畳んで容易に持ち運びができる配管カバー及び当該配管カバーを備えた給湯器を提供することを目的とする。
【課題を解決するための手段】
【０００５】
上記目的を達成するために、請求項１に係る発明の配管カバーによれば、本体に接続された配管を覆い隠すために、前記本体に着脱可能に取り付けられる略コの字型の配管カバーであって、前記配管の前面側を覆い隠す正面視長方形状の前面部と、当該前面部の左右両端部に各々連結され、前記配管の左右両面側をそれぞれ覆い隠す一対の側面部と、前記前面部の左右両端部と、一対の前記側面部の連結側一端部とを回動可能に連結する回動連結手段とから構成され、一対の前記側面部が前記前面部側にそれぞれ折り畳み可能である。
【０００６】
また、請求項２に係る発明の配管カバーによれば、請求項１に記載の発明の構成に加え、一対の前記側面部は、前記前面部の左端部に連結された左側壁と、前記前面部の右端部に連結された右側壁とであって、前記前面部は、前記左側壁の前記連結側一端部と、前記右側壁の前記連結側一端部との間に渡設された梁部材と、当該梁部材の前面側に着脱可能に固定される前面壁とから構成されている。
【０００７】
また、請求項３に係る発明の配管カバーによれば、請求項２に記載の発明の構成に加え、前記回動連結手段は、前記梁部材の長手方向両端部と、前記左側壁の前記連結側一端部及び前記右側壁の前記連結側一端部とを回動可能に連結する蝶番である。
【０００８】
また、請求項４に係る発明の配管カバーによれば、請求項２又は３に記載の発明の構成に加え、前記梁部材は、前記左側壁の前記連結側一端部の上部と、前記右側壁の前記連結側一端部の上部との間に渡設された柱状の上側梁部材と、前記左側壁の前記連結側一端部の下部と、前記右側壁の前記連結側一端部の下部との間に渡設された下側梁部材とから構成され、前記上側梁部材及び下側梁部材には、前記前面壁を固定するための固定穴が穿設されている。
【０００９】
また、請求項５に係る発明の配管カバーによれば、請求項２乃至４の何れかに記載の発明の構成に加え、前記左側壁と前記右側壁とを互いに平行に支持する支持部材を備えている。
【００１０】
また、請求項６に係る発明の配管カバーによれば、請求項５に記載の発明の構成に加え、前記支持部材は略コの字型の枠である。
【００１１】
また、請求項７に係る発明の配管カバーによれば、請求項４乃至６の何れかに記載の発明の構成に加え、前記支持部材は、自身の開口側を前記前面壁の内側面に対向させた状態で、前記左側壁の内側面又は外側面と、前記右側壁の内側面又は外側面とに各々当接して固定される。
【００１２】
また、請求項８に係る発明の配管カバーによれば、請求項２乃至７の何れかに記載の発明の構成に加え、前記左側壁の上部と前記右側壁の上部には、前記本体の下部に着脱可能な取付部が各々設けられ、当該取付部には取付穴が穿設されている。
【００１３】
また、請求項９に係る発明の給湯器によれば、筐体内にバーナを熱源として備える給湯器本体と、前記筐体に接続された配管とを備えた給湯器であって、請求項１乃至８の何れかに記載の配管カバーを備えている。
【発明の効果】
【００１４】
請求項１に係る発明の配管カバーでは、回動連結手段によって、前面部の左右両端部と、一対の側面部の連結側一端部とが回動可能に連結されているので、一対の側面部を前面部側にそれぞれ折り畳むことができる。これにより、配管カバー全体の容積を小さくできるので、施工場所までの運搬が容易となる。さらに、容積を小さくすることができるので、複数まとめて運搬することができ、輸送コストを削減することができる。また、運搬時での配管カバーの梱包材料にかかるコストも削減することができる。さらに、配管カバーを折り畳むことで容積を小さくできるので、例えば、複数の独立した部材及び部品で構成した配管カバーのように、各部材及び部品を互いに分離して運搬する必要がない。これにより、複数の部材及び部品が分離してバラバラにならないため、現場（特に、高層マンションのベランダ等）での組み立てを容易にすることができる。
【００１５】
また、請求項２に係る発明の配管カバーでは、請求項１に記載の発明の効果に加え、前面部の左右両端部に連結された右側壁及び左側壁によって、本体に接続された配管の左右両側面をそれぞれ覆い隠すことができる。一方、配管の前面側は、前面部によって覆い隠すことができる。そして、梁部材から前面壁を取り外すことによって、配管の前面側を露出させることができるので、配管カバーを本体に取り付けた状態のままで、配管の保守点検又は修理、交換等のメンテナンスを行うことができる。
【００１６】
また、請求項３に係る発明の配管カバーでは、請求項２に記載の発明の効果に加え、梁部材の長手方向両端部と、左側壁の連結側一端部及び右側壁の連結側一端部とが、蝶番によって連結されているので、梁部材に対して、左側壁及び右側壁をそれぞれ自由に回動させることができる。
【００１７】
また、請求項４に係る発明の配管カバーでは、請求項２又は３に記載の発明の効果に加え、上側梁部材及び下側梁部材が互いに上下方向に離間することによって、前面壁が取り外された時の配管の前面側が露出する面積を広くすることができる。これにより、配管の保守点検又は修理、交換等のメンテナンス等の作業性を向上できる。また、上側梁部材及び下側梁部材には固定穴が穿設されているので、前面壁を上側梁部材及び下側梁部材に固定することができる。
【００１８】
また、請求項５に係る発明の配管カバーでは、請求項２乃至４の何れかに記載の発明の効果に加え、本体への取付時において、左側壁と右側壁とが支持部材によって互いに平行になるように支持されるので、左側壁及び右側壁が勝手に回動するのを防止できる。
【００１９】
また、請求項６に係る発明の配管カバーでは、請求項５に記載の発明の効果に加え、支持部材が略コの字型の枠であるので、左側壁及び右側壁が勝手に回動せず、配管カバー全体を略コの字型に保持することができる。
【００２０】
また、請求項７に係る発明の配管カバーでは、請求項４乃至６の何れかに記載の発明の効果に加え、左側壁の回動側端部と右側壁の回動側端部との間に、支持部材の一部を介すことができる。これにより、左側壁の回動側端部と右側壁の回動側端部との間の距離が変化するのを防止できるので、配管カバー全体を略コの字型に強固に保持することができる。
【００２１】
また、請求項８に係る発明の配管カバーでは、請求項２乃至７の何れかに記載の発明の効果に加え、左側壁の上部と右側壁の上部とに各々設けられた取付部を、本体の下部に各々取り付けることによって、配管カバー全体を本体の下部に偏りなく固定することができる。さらに、各取付部の取付穴にネジ等を差し込み、本体の下部に固定することによって、配管カバーを本体の下部に強固に固定することができる。
【００２２】
また、請求項９に係る発明の給湯器では、請求項１乃至８の何れかに記載の配管カバーを用いることによって、給湯器本体の筐体に接続された配管を覆い隠すことができる。そして、配管カバーは折り畳むことによって容積を小さくすることができるので、給湯器の取付現場までの運搬を容易とすることができる。さらに、容積を小さくすることができるので、複数まとめて運搬することができ、輸送コストを削減することができる。また、運搬時での配管カバーの梱包材料にかかるコストも削減することができる。
【発明を実施するための最良の形態】
【００２３】
以下、本発明の一実施の形態である給湯器１について、図面に基づいて説明する。図１は、外壁２に固定された給湯器１の全体斜視図であり、図２は、給湯器本体３に取り付けられた配管カバー５の分解斜視図であり、図３は、右側壁１１の内側面図であり、図４は、左側壁１２の内側面図であり、図５は、上側支持梁５１の斜視図であり、図６は、下側支持梁５２の斜視図であり、図７は、上ヒンジ１５周辺（右側壁１１側）の斜視図であり、図８は、下ヒンジ１６周辺（右側壁１１側）の斜視図であり、図９は、支持枠３０の斜視図であり、図１０は、扉受け部６５の斜視図であり、図１１は、配管カバー５から支持枠３０、扉受け部６５を取り外した状態を示す斜視図であり、図１２は、配管カバー５が折り畳まれる途中の状態を示した斜視図であり、図１３は、配管カバー５が折り畳まれた状態を示した斜視図である。
【００２４】
なお、本実施形態である給湯器１は、図１に示すように、外壁２に取り付けられた給湯器本体３の底部から延設された各種配管７（図２参照）を覆い隠すための配管カバー５を備えている。そして、この配管カバー５を折り畳み可能とすることで、配管カバー５の持ち運びが容易となる点に本発明の特徴を有するものである。
【００２５】
はじめに、給湯器１について概略的に説明する。図１に示すように、給湯器１は、外壁２に取り付けられた給湯器本体３と、該給湯器本体３の下部に着脱可能に固定され、前記給湯器本体３の底部に接続された各種配管７（図２参照）が外部に露出しないように覆い隠すための略コの字型の配管カバー５とで構成されている。
【００２６】
一方、図１，図２に示すように、外壁２の上部には、給湯器本体３を固定するための断面略Ｌ字状の引掛金具６が取り付けられている。さらに、図２に示すように、その引掛金具６の下方には、後述する筐体４の底部に接続された各種配管７を挿通させる給湯管孔、給水管孔、ガス管孔等の各種配管孔２ａ，２ｂが各々穿設されている。
【００２７】
次に、給湯器本体３について説明する。図２に示すように、給湯器本体３は、略直方体状の筐体４を備えている。そして、その筐体４には、熱源となるバーナ（図示外）や、該バーナを利用して通水を加熱するための熱交換器（図示外）、前記バーナに燃焼用空気を送風するための送風ファン（図示外）、筐体４内に配索された配管の水量を一定に保つための膨張タンク（図示外）等が内蔵されている。また、筐体４の背壁の上端部中央には、取付金具８が設けられている。そして、この取付金具８を外壁２の引掛金具６に引っ掛けることによって、給湯器本体３全体が外壁２に取り付けられる。なお、図示しないが、筐体４の背壁の下端部にも取付金具（図示外）が設けられており、給湯器本体３の上下部ともに外壁２に対して取り付けることができる。
【００２８】
さらに、図２に示すように、筐体４の左右両側壁の下側後方隅部には、配管カバー５の上部を着脱可能に固定するための固定孔１８（図２では１つのみ図示）が各々穿設されている。また、筐体４の底部には、給水管、給湯管およびガス供給管等の各種配管７や配線（図示外）が各々接続されている。さらに、これら各種配管７や配線は筐体４の下方に延設されるとともに、外壁２に穿設された配管孔２ａ，２ｂに各々挿通され、屋内の蛇口や水道栓及びガス元栓等に各々接続されている。また、筐体４の底部の前方端部には、該前方端部に沿って下方に突設された正面視横長の長方形状の固定片９が設けられている。そして、その固定片９の長手方向両端部近傍には、後述する配管カバー５の固定梁部５０の上側支持梁５１を固定片９に固定するための固定孔９ａ（図２では１つのみ図示）が各々穿設されている。
【００２９】
次に、本発明の特徴である配管カバー５について説明する。図１に示す配管カバー５は全体が軽量で丈夫な金属で形成されている。そして、図２に示すように、この配管カバー５は、各種配管７の前面側の上側と下側とに各々略水平に延設された上下一対の固定梁部５０と、当該固定梁部５０の前面に着脱可能に固定され、各種配管７の前面側を覆い隠すための正面視長方形状の前面壁１０と、各種配管７の右側面側を覆い隠すための右側壁１１（図３参照）と、各種配管７の左側面側を覆い隠すための左側壁１２（図４参照）とで構成され、全体が略コの字型に形成されている。なお、その大きさは、略コの字型に組み立てられた状態で、横４７０ｍｍ×高さ６００ｍｍ×奥行き２５０ｍｍとなっている。なお、図２に示す前面壁１０と固定梁部５０が「前面部」に相当し、固定梁部５０が、「梁部材」に相当する。
【００３０】
そして、本実施形態では、図２に示すように、固定梁部５０を構成する上側支持梁５１及び下側支持梁５２の各左右両端部に、右側壁１１及び左側壁１２が、上ヒンジ１５及び下ヒンジ１６を介することによって回動可能に各々連結されている。これにより、前面壁１０が固定された固定梁部５０に対して、右側壁１１及び左側壁１２を各々折り畳むことができる。なお、右側壁１１及び左側壁１２の上ヒンジ１５及び下ヒンジ１６による回動機構については後述する。
【００３１】
また、配管カバー５の内側面（右側壁１１及び左側壁１２の各内側面）において、略中段位置と略下段位置とには、略コの字型の支持枠３０，３０が各々固定されている。そして、この２つの支持枠３０，３０によって、配管カバー５全体が略コの字型に保持されている。また、固定梁部５０を構成する下側支持梁５２の下側には、前面壁１０の下部に突設された差込片１０ｃが差し込まれるとともに、前面壁１０の下側を受けて位置決めを行う平面視略コの字型の扉受け部６５が固定されている。
【００３２】
次に、配管カバー５を構成する個々の部材について説明する。まず、右側壁１１について説明する。図３に示すように、右側壁１１は正面視縦長の長方形状に形成されている。そして、この右側壁１１の左側一端部（図３の右側）が、固定梁部５０に連結される連結側端部２１となり、該連結側端部２１とは反対の右側一端部が（図３の左側）、固定梁部５０（図２に示す）に対して回動する回動側端部２２となる。さらに、右側壁１１の上端部と連結側端部２１とが互いに直交する角部にはＬ字状の切り欠き部２４が形成されている。これにより、筐体４の下部に配管カバー５が固定される際に、筐体４の下部に突設された固定片９と、右側壁１１の連結側端部２１の上側の角部とが接触しないようになっている（図７参照）。
【００３３】
一方、右側壁１１の上端部と回動側端部２２とが互いに直交する角部には、筐体４の右側壁下部の外側面に取り付けるために、上方に向かって突出する略長方形状の取付片２５が設けられている。そして、この取付片２５の略中央には、筐体４の右側壁の後方下側角部の固定孔（図示外）に対向する固定孔２５ａが穿設されている。そして、図２に示すように、この取付片２５の固定孔２５ａを、筐体４の右側壁下部の外側面に穿設された固定孔（図示外）に合わせ、止めネジ８０で固定することにより、配管カバー５の右側壁１１の上部が固定される。さらに、図３に示すように、右側壁１１の下端部と連結側端部２１とが互いに直交する角部には、蓋受け部６５の脚部６７（図１０参照）を当接して固定するための略長方形状の固定片２７が、配管カバー５が略コの字型に組み立てられた時の前方（図３の右側）に向かって突設されている。そして、その固定片２７の略中央には、扉受け部６５の脚部６７に穿設された固定孔６７ａ（図１０参照）に対向する固定孔２７ａが穿設されている。
【００３４】
また、図３に示すように、右側壁１１の略中段位置の連結側端部２１側と回動側端部２２側との２カ所には、支持枠３０の支持フレーム３２（図９参照）を固定するための固定孔１１ａ，１１ａが各々穿設されている。さらに、右側壁１１の略下段位置の連結側端部２１側と回動側端部２２側との２カ所にも、支持枠３０の支持フレーム３２（図９参照）を固定するための固定孔１１ｂ，１１ｂが各々穿設されている。また、右側壁１１の内側面の上端部、取付片２５の上端部及び回動側端部２２の下側を除く部分には、当該端部に沿って、補強用の折り返し部２９が設けられている。
【００３５】
さらに、右側壁１１の切り欠き部２４の下側の内側面には、上ヒンジ１５（図２，図１１参照）の受け側となる側面視逆Ｌ字型の受け部３３（図７参照）が固定されている。この受け部３３は、図３，図７に示すように、一枚の長方形状の金属板がＬ字型に折り返されて形成され、受け片３３ａと固定片３３ｂとで構成されている。そして、このような受け部３３は、受け片３３ａが略水平となるように固定片３３ｂが右側壁１１の内側面に当接され、一対のボルト３６，３６を介して固定されている。さらに、受け片３３ａの略中央には、後述するボルト６０（図７参照）がはまるための軸孔（図示外）が穿設されている。
【００３６】
一方、右側壁１１の固定片２７の上側の内側面にも、上記した受け部３３と同じ形状であって、下ヒンジ１６（図２，図１１参照）を構成する側面視逆Ｌ字型の受け部３５が固定されている。この受け部３５も、図３，図８に示すように、一枚の長方形状の金属板がＬ字型に折り返されて形成され、受け片３５ａと固定片３５ｂとで構成されている。そして、このような受け部３５も、受け片３５ａが略水平となるように固定片３５ｂが右側壁１１の内側面に当接され、一対のボルト３６，３６を介して固定されている。さらに、受け片３５ａの略中央には、後述するボルト６１（図８参照）がはまるための軸孔（図示外）が穿設されている。
【００３７】
次に、左側壁１２について説明する。図４に示すように、左側壁１２も正面視縦長の長方形状に形成され、右側壁１１の形状と左右対称となっている。そして、この左側壁１２の右側一端部（図４の左側）が、固定梁部５０（図２参照）に連結される連結側端部４１となり、該連結側端部４１とは反対の左側一端部（図４の右側）が、固定梁部５０に対して回動する回動側端部４２となる。さらに、左側壁１２の上端部と連結側端部４１とが互いに直交する角部にはＬ字状の切り欠き部４４が形成されている。これにより、筐体４の下部に配管カバー５が固定される際に、筐体４の下部に突設された固定片９と、左側壁１２の連結側端部４１の角部とが接触しないようになっている。
【００３８】
一方、左側壁１２の上端部と回動側端部４２とが互いに直交する角部には、筐体４の左側壁下部の外側面に取り付けるために、上方に向かって突出する略長方形状の取付片４５が設けられている。そして、この取付片４５の略中央には、筐体４の左側壁の後方下側角部の固定孔１８（図２参照）に対向する固定孔４５ａが穿設されている。そして、図２に示すように、この取付片４５の固定孔４５ａを、筐体４の右側壁下部の外側面に穿設された固定孔１８に合わせ、止めネジ８０で固定することにより、配管カバー５の左側壁１２の上部が固定される。さらに、図４に示すように、左側壁１２の下端部と連結側端部４１とが互いに直交する角部には、蓋受け部６５の脚部６７（図１０参照）を当接して固定するための略長方形状の固定片４７が、配管カバー５が略コの字型に組み立てられた時の前方（図３の左側）に向かって突設されている。そして、その固定片４７の略中央には、扉受け部６５の脚部６７に穿設された固定孔６７ａ（図１０参照）に対向する固定孔４７ａが穿設されている。
【００３９】
また、図４に示すように、左側壁１２の略中段位置の連結側端部４１側と回動側端部４２側との２か所には、支持枠３０の支持フレーム３２（図９参照）を固定するための固定孔１２ａ，１２ａが各々穿設されている。さらに、左側壁１２の略下段位置の連結側端部４１側と回動側端部４２側との２か所にも、支持枠３０の支持フレーム３２（図９参照）を固定するための固定孔１２ｂ，１２ｂが各々穿設されている。また、左側壁１２の内側面の上端部、取付片４５の上端部及び回動側端部４２の下側を除く部分には、当該端部に沿って、補強用の折り返し部４９が設けられている。  
【００４０】
さらに、左側壁１２の切り欠き部４４の下側の内側面には、上ヒンジ１５の受け側となり、上記した右側壁１１側の受け部３３と同形状の受け部５３が固定されている。また、左側壁１２の固定片４７の上側の内側面にも、上記した右側壁１１側の受け部３５と同形状の側面視逆Ｌ字型の受け部５５が固定されている。
【００４１】
次に、固定梁部５０について説明する。図２，図１１に示すように、固定梁部５０は、右側壁１１の上ヒンジ１５と左側壁１２の上ヒンジ１５との間に渡設された上側支持梁５１と、右側壁１１の下ヒンジ１６と左側壁１２の下ヒンジ１６との間に渡設された下側支持梁５２とから構成されている。
【００４２】
まず、上側支持梁５１について説明する。上側支持梁５１は、図５に示すように、水平に延設された平面視帯状の平板である水平片５１ａと、該水平片５１ａの幅方向一端側から垂直上方に立設された平板である起立片５１ｂと、前記水平片５１ａの前記一端側とは反対の他端側から略鉛直下方に延設され、前面壁１０（図２参照）の上部裏面に当接して支持する平板である支持片５１ｃとから構成され、全体が階段状に形成されている。また、起立片５１ｂの長手方向両端部近傍には固定孔５４，５４が各々穿設されている。なお、この固定孔５４，５４は、図２に示す筐体４の下部から突設された固定片９の一対の固定孔９ａ（図２では１つのみ図示）に各々対向し、止めネジ９０で固定されるようになっている。さらに、支持片５１ｃの長手方向両端部近傍にも固定孔５６，５６が各々穿設されている。なお、この固定孔５６，５６は、後述する前面壁１０の上側両隅部近傍に各々穿設された固定孔１７，１７（図２参照）に各々対向するようになっている。
【００４３】
また、水平片５１ａの長手方向両端部にはＬ字状の切り欠きによって形成された平面視長方形状の掛け部５７，５７が各々設けられ、該掛け部５７の略中央には軸孔５７ａが穿設されている。そして、図７に示すように、この掛け部５７の下面に、前記右側壁１１の内側面に固定された受け部３３の受け片３３ａの上面が当接し、掛け部５７の軸孔５７ａと、受け片３３ａの軸孔（図示外）とにボルト６０が連通して嵌まる。これにより、上側支持梁５１に対して右側壁１１が回動可能となる。さらに、ボルト６０を受け部３３の受け片３３ａの下側からナット（図示外）で締め付けることにより、右側壁１１が上側支持梁５１に固定される。このように、右側壁１１側に固定された受け部３３と、上側支持梁５１の掛け部５７と、該掛け部５７を受け部３３に軸支するボルト６０及びナット（図示外）とによって、上ヒンジ１５による右側壁１１の回動機構が構成される。なお、上側支持梁５１と左側壁１２とを回動可能に連結する上ヒンジ１５（図２参照）の回動機構も、右側壁１１側の上ヒンジ１５の回動機構と同じであるため、説明を省略する。
【００４４】
次に、下側支持梁５２について説明する。下側支持梁５２は、図６に示すように、水平に延設された帯状の平板である水平片５２ａと、該水平片５２ａの幅方向一端側から垂直上方に立設された平板である起立片５２ｂと、前記水平片５２ａの前記一端側とは反対の他端側から垂直上方に立設され、前面壁１０の裏面に当接して支持する平板である支持片５２ｃとから構成され、断面略Ｕ字状（図６，図８参照）に形成されている。そして、支持片５２ｃの長手方向両端部近傍には固定孔５９，５９が各々穿設され、該固定孔５９，５９は、後述する前面壁１０の下側両隅部近傍に穿設された固定孔１７，１７（図２参照）に各々対向するようになっている。
【００４５】
また、水平片５２ａの長手方向両端部にはＬ字状の切り欠きによって形成された平面視長方形状の掛け部５８，５８が各々設けられ、該掛け部５８の略中央には軸孔５８ａが穿設されている。そして、図８に示すように、この掛け部５８の下面に、右側壁１１の受け部３５の受け片３５ａの上面が当接し、掛け部５８の軸孔５８ａ（図６参照）と、受け片３５ａの軸孔（図示外）とにボルト６１が連通して嵌まる。これにより、下側支持梁５２に対して右側壁１１が回動可能となる。さらに、ボルト６１を受け部３５の受け片３５ａの下側からナット（図示外）で締め付けることにより、右側壁１１が下側支持梁５２に固定される。このように、右側壁１１側に固定された受け部３５と、下側支持梁５２の掛け部５８と、該掛け部５８を受け部３５に軸支するボルト６１及びナット（図示外）とによって、下ヒンジ１６による右側壁１１の回動機構が構成される。なお、下側支持梁５２と左側壁１２とを回動可能に連結する下ヒンジ１６（図２参照）の回動機構も、右側壁１１側の下ヒンジ１６の回動機構と同じであるため、説明を省略する。
【００４６】
なお、図５に示す上側支持梁５１が、「上側梁部材」に相当し、図６に示す下側支持梁５２が、「下側梁部材」に相当し、図１１に示す上ヒンジ１５と下ヒンジ１６とが、「回動連結手段」に相当する。
【００４７】
次に、前面壁１０について説明する。前面壁１０は、図２に示すように、正面視長方形状に形成された金属製の平板部材である。そして、その前面壁１０の左右両端部には、右側方又は左側方に向かって階段状に各々延設され、右側壁１１（左側壁１２）の連結側端部２１（連結側端部４１）との隙間を閉塞するシール部１０ａ，１０ｂが各々設けられている。また、前面壁１０の四隅近傍には固定孔１７が各々穿設されている。そして、前面壁１０の上側の一対の固定孔１７，１７が、上側支持梁５１の固定孔５６，５６に各々対向し、止めネジ７０，７０によって固定されるようになっている。一方、前面壁１０の下側の一対の固定孔１７，１７が、下側支持梁５２の固定孔５９，５９に各々対向し、止めネジ７０，７０によって固定されるようになっている。
【００４８】
また、前面壁１０の下端部には、下方に突出する平板状の差込片１０ｃが設けられている。そして、この差込片１０ｃが、下側支持梁５２の下側に設けられた扉受け部６５の内側の隙間に差し込まれる。これにより、前面壁１０の下部が位置決めされるとともに、前面壁１０が下側から支持される。そして、前記構造からなる前面壁１０が、固定梁部５０の前面に取り付けられることにより、給湯器本体３の底部に接続された各種配管７の前面側が覆い隠される。さらに、各種配管７の保守点検等の作業は、配管カバー５を給湯器本体３に取り付けたままの状態で、この前面壁１０を固定梁部５０から取り外すだけで行うことができる。
【００４９】
次に、支持枠３０について説明する。支持枠３０は、図９に示すように、平面視略コの字型に構成された枠である。この支持枠３０は、本体フレーム３１と、該本体フレーム３１の長手方向両端部から同方向に略直角に各々延設され、右側壁１１の内側面又は左側壁１２の内側面に各々当接して固定される支持フレーム３２，３２とで構成されている。さらに、各支持フレーム３２の長手方向両端部近傍には、固定孔３２ａ，３２ａが各々穿設されている。また、これら本体フレーム３１と支持フレーム３２，３２とは全てＬ字状の金属製のアングルで形成され、断面が逆Ｌ字型になるように互いに連結されている。なお、図９に示す支持枠３０が、「支持部材」に相当する。
【００５０】
次に、支持枠３０の取付方法について説明する。図２に示すように、まず、２つの支持枠３０，３０の略コの字型の開口側を、配管カバー５内側の略中段位置と略下段位置とに対向させる。そして、それら支持枠３０，３０を配管カバー５内側に滑り込ませ、各支持フレーム３２の固定孔３２ａ，３２ａを、右側壁１１の固定孔１１ａ及び固定孔１１ｂ、左側壁１２の固定孔１２ａ及び固定孔１２ｂに各々対向させ、パッキン付トラスネジ３８によって各々固定する。これにより、支持枠３０，３０が配管カバー５内側の略中段位置と略下段位置とに固定される。
【００５１】
そして、このような支持枠３０，３０が配管カバー５に取り付けられていない状態では、右側壁１１の回動側端部２２及び左側壁１２の回動側端部４２が各連結側端部２１，４１から離れた位置にあるので、外部衝撃が与えられると右側壁１１及び左側壁１２が回動し、配管カバー５の全体形状が崩れてしまう。しかし、これら支持枠３０，３０を配管カバー５の内側に取り付けた後では、図２に示すように、各支持枠３０の本体フレーム３１が、右側壁１１の回動側端部２２と左側壁１２の回動側端部４２との間にそれぞれ介在する。これにより、右側壁１１の回動側端部２２と左側壁１２の回動側端部４２との距離を一定に保つことができるので、右側壁１１や左側壁１２に対して外部衝撃や応力が加えられても、配管カバー５の全体形状を略コの字型に保持することができる。
【００５２】
次に、蓋受け部６５について説明する。図１０に示すように、蓋受け部６５は、略水平に延設され、前面壁１０の差込片１０ｃ（図２参照）を受ける平板状の受けフレーム６６と、該受けフレーム６６の長手方向両端部から直角に各々延設された脚部６７，６７とで構成され、平面視略コの字型に形成されている。さらに、脚部６７，６７には、右側壁１１及び左側壁１２の下部に設けられた固定片２７，４７の各内側面に各々当接して固定するための固定孔６７ａが各々穿設されている。
【００５３】
そして、図２に示すように、このような蓋受け部６５の脚部６７，６７（図１０参照）を、右側壁１１及び左側壁１２の固定片２７，４７（図３，図４参照）の内側面に各々当接し、ネジ６９（図２では、１つのみ図示）によって固定する。これにより、蓋受け部６５が、下側支持梁５２の下側に配置される。そして、蓋受け部６５の内側には所定の隙間が形成され、該隙間に前面壁１０の差込片１０ｃが差し込まれるようになっている。
【００５４】
次に、配管カバー５の折り畳み方法について説明する。図１１に示すように、まず、図２に示す略コの字型に組み立てられた配管カバー５から、支持枠３０，３０及び蓋受け部６５をそれぞれ取り外す。次いで、上ヒンジ１５のボルト６０（図７参照）を固定していたナット（図示外）を緩め、下ヒンジ１６のボルト６１（図８参照）を固定していたナット（図示外）を緩める。これにより、右側壁１１及び左側壁１２が、上側支持梁５１及び下側支持梁５２に対して何れも回動可能となる。この状態で、図１２に示すように、右側壁１１及び左側壁１２を、固定梁部５０の背面側に対して交互に折り畳む。こうして、図１３に示すように、配管カバー５全体を略平板状にすることができる。また、右側壁１１及び左側壁１２を折り畳んだ状態で、上ヒンジ１５のボルト６０（図７参照）を固定していたナット（図示外）を締め付け、下ヒンジ１６のボルト６１（図８参照）を固定していたナット（図示外）を締め付ける。これによって、配管カバー５の運搬中に右側壁１１及び左側壁１２が勝手に回動して開いてしまうのを防止できる。
【００５５】
また、平板状に折り畳まれた配管カバー５の全体の厚さは約５０ｍｍ程度となり、略コの字型に組み立てられた状態の時よりも約１／４にすることができる。これにより、配管カバー５の全体の容積を小さくできるので、全体がかさばらず、配管カバー５をいくつも重ねて運搬することができる。また、超高層ビルのような高い場所に給湯器１を取り付ける場合では、配管カバー５の持ち運びが容易となることで、運搬中に配管カバー５を落下させる恐れがなくなるため、安全上好ましい。さらに、この配管カバー５は、略コの字型に組み立てた状態で立たせることができるので、取付作業に非常に便利である。
【００５６】
以上説明したように、本実施形態の給湯器１は、外壁２に取り付けられた給湯器本体３の底部から延設された各種配管７（図２参照）を覆い隠すための略コの字型の配管カバー５を備えている。そして、この配管カバー５の右側壁１１と左側壁１２とを折り畳み可能とすることで、全体の容積を小さくすることができ、取付現場までの配管カバー５の持ち運びを容易とすることができる。また、配管カバー５の前面が、固定梁部５０と、該固定梁部５０に着脱可能に固定される前面壁１０とで構成され、前面壁１０を固定梁部５０から取り外すことによって、筐体４の底部に接続された各種配管７の前面側を露出させることができる。これにより、配管カバー５が、給湯器本体３の筐体４に取り付けられた状態のままで、各種配管７の保守点検、修理及び交換等のメンテナンス作業を行うことができる。
【００５７】
さらに、配管カバー５の内側には、２つの支持枠３０，３０が各々取り付けられ、右側壁１１の回動側端部２２と左側壁１２の回動側端部４２との間に支持枠３０の本体フレーム３１がそれぞれ介在するようになっている。これにより、右側壁１１の回動側端部２２と左側壁１２の回動側端部４２との距離を一定に保つことができるので、右側壁１１や左側壁１２に対して外部衝撃が加えられても、配管カバー５の全体形状を略コの字型に保持することができる。さらに、この配管カバー５は、略コの字型に組み立てた状態で立たせることができる。よって、例えば、先に配管カバー５を略コの字型に組み立てておき、給湯器本体３の筐体４を外壁２に固定した後で、直ぐにその状態のまま配管カバー５を組み付けることができるので、取付作業を迅速かつ効率良く行うことができる。
【００５８】
なお、本発明は上記実施形態に限定されることなく、様々な変形が可能であることは言うまでもない。例えば、本実施形態では、配管カバー５の前面を、固定梁部５０と、前面壁１０とで構成したが、一枚の前面壁で構成し、該前面壁の左右両端に右側壁１１及び左側壁１２を蝶番等で連結してもよい。そして、その前面壁に各種配管７のメンテナンス用の窓部をもうけ、該窓部を開閉する蓋部を設けてもよい。
【００５９】
また、この他にも、配管カバー５の構成を、上記実施形態のように折り畳み可能な略コの字型形状の本体枠と、該本体枠に着脱可能に固定される前面壁、右側壁及び左側壁とで構成してもよい。
【００６０】
さらに、本実施形態の配管カバー５は、箱体の天面、背面及び底面が開放された略コの字型形状であるが、天面と背面とだけを開放させて底面を閉塞させた箱型形状としてもよい。
【００６１】
また、右側壁１１及び左側壁１２を回動可能とする上ヒンジ１５及び下ヒンジ１６の代わりに、一般的な蝶番を右側壁１１の内側面及び左側壁１２の内側面に取り付けてもよい。
【産業上の利用可能性】
【００６２】
本発明の配管カバーは、給湯器に限らず、配管や配線が接続された本体を備えるものにも適用可能である。
【図面の簡単な説明】
【００６３】
【図１】外壁２に固定された給湯器１の全体斜視図である。
【図２】給湯器本体３に取り付けられた配管カバー５の分解斜視図である。
【図３】右側壁１１の内側面図である。
【図４】左側壁１２の内側面図である。
【図５】上側支持梁５１の斜視図である。
【図６】下側支持梁５２の斜視図である。
【図７】上ヒンジ１５周辺（右側壁１１側）の斜視図である。
【図８】下ヒンジ１６周辺（右側壁１１側）の斜視図である。
【図９】支持枠３０の斜視図である。
【図１０】扉受け部６５の斜視図である。
【図１１】配管カバー５から支持枠３０、扉受け部６５を取り外した状態を示す斜視図である。
【図１２】配管カバー５が折り畳まれる途中の状態を示した斜視図である。
【図１３】配管カバー５が折り畳まれた状態を示した斜視図である。
【符号の説明】
【００６４】
１    給湯器
３    給湯器本体
４    筐体
５    配管カバー
７    各種配管
１０    前面壁
１１    右側壁
１２    左側壁
１５    上ヒンジ
１６    下ヒンジ
２１    連結側端部
２５    取付片
３０    支持枠
４１    連結側端部
４５    取付片
５０    固定梁部
５１    上側支持梁
５２    下側支持梁
５６    固定孔
５９    固定孔
【図１】
2007032940.tif 000003
【図２】
2007032940.tif 000004
【図３】
2007032940.tif 000005
【図４】
2007032940.tif 000006
【図５】
2007032940.tif 000007
【図６】
2007032940.tif 000008
【図７】
2007032940.tif 000009
【図８】
2007032940.tif 000010
【図９】
2007032940.tif 000011
【図１０】
2007032940.tif 000012
【図１１】
2007032940.tif 000013
【図１２】
2007032940.tif 000014
【図１３】
2007032940.tif 000015